(57)【要約】【課題】本発明は、昇降路内への異物の落下を低減することができるとともに、組み付け及びメンテナンス作業を容易に行うことができ、意匠性を向上させることができるエレベータドアの開閉案内装置を得ることを目的とするものである。【解決手段】連結板５は、かごドア１の背部に回動自在に連結された連結部６と、戸袋部に位置する係合部７とを有し、かごドア１の開閉動作に伴ってかごドア１の開閉方向へ変位される。ガイド体８は、かご床２の面の上方で係合部７を支持するとともに、係合部７に係合し、かごドア１の開閉方向への係合部７の変位を案内する。【選択図】図１
2010111475.tif 000002
【特許請求の範囲】
【請求項１】
エレベータドアに回動自在に連結された連結部と、戸袋部に位置する係合部とを有し、上記エレベータドアの開閉動作に伴って変位される変位部材、及び
上記戸袋部の床面上に設けられ、上記床面の上方で上記係合部を支持するとともに、上記係合部に係合し、上記エレベータドアの開閉方向への上記係合部の変位を案内するガイド体
を備えていることを特徴とするエレベータドアの開閉案内装置。
【請求項２】
上記変位部材の上記エレベータドアへの連結位置と、上記ガイド体による上記係合部の支持位置との高さが異なっており、上記エレベータドアの開閉動作により上記変位部材の傾斜角度が変化するようになっていることを特徴とする請求項１記載のエレベータドアの開閉案内装置。
【請求項３】
上記ガイド体には、上記エレベータドアの開閉時に上記係合部に沿って相対的に転動されるローラが設けられていることを特徴とする請求項１又は請求項２に記載のエレベータドアの開閉案内装置。
【請求項４】
上記ガイド体及び上記変位部材には、上記エレベータドアの閉鎖時に上記変位部材の回動を規制する回動規制機構が設けられていることを特徴とする請求項１から請求項３までのいずれか１項に記載のエレベータドアの開閉案内装置。
【請求項５】
上記ガイド体及び上記変位部材の少なくともいずれか一方には、上記エレベータドアの開閉時に上記係合部の変位を円滑にする低摩擦部材が設けられていることを特徴とする請求項１から請求項４までのいずれか１項に記載のエレベータドアの開閉案内装置。
【発明の詳細な説明】
【技術分野】
【０００１】
この発明は、エレベータドアの開閉動作を案内するエレベータドアの開閉案内装置に関するものである。
【背景技術】
【０００２】
従来のエレベータの出入口扉下端部の支持機構では、かご敷居の下面にガイド溝が設けられている。ドアパネルの下端部には、かご敷居の昇降路側の前面をオーバーハングして取付腕が支持されている。この取付腕には、ガイド溝に沿って回転移動可能な車輪が設けられている。また、取付腕には、車輪をガイド溝へ密着させるためのツル巻きバネが設けられている（例えば、特許文献１参照）。
【０００３】
【特許文献１】特開平５−３１０３９１号公報
【発明の開示】
【発明が解決しようとする課題】
【０００４】
上記のように構成された従来のエレベータの出入口扉下端部の支持機構では、ドアパネルの下端部にかご敷居の昇降路側の前面をオーバーハングして取付腕が支持されているので、かご敷居と乗場敷居との間には取付腕分の隙間を確保する必要があり、この隙間から昇降路内に異物が落下する恐れがあった。また、乗場敷居の下面には、ガイド溝が設けられており、このガイド溝に沿って回転移動可能な車輪が取付腕に支持されているので、ガイド溝及び車輪のメンテナンスは乗場敷居の下方に移動して作業する必要があり、ガイド溝及び車輪のメンテナンス作業に手間がかかっていた。さらに、取付腕には、車輪をガイド溝へ密着させるためのツル巻きバネが設けられているので、ツル巻きバネの組み付け作業に手間がかかっていた。
【０００５】
この発明は、上記のような課題を解決するためになされたものであり、昇降路内への異物の落下を低減することができるとともに、組み付け及びメンテナンス作業を容易に行うことができ、意匠性を向上させることができるエレベータドアの開閉案内装置を得ることを目的とする。
【課題を解決するための手段】
【０００６】
この発明に係るエレベータドアの開閉案内装置は、エレベータドアに回動自在に連結された連結部と、戸袋部に位置する係合部とを有し、エレベータドアの開閉動作に伴って変位される変位部材、及び戸袋部の床面上に設けられ、床面の上方で係合部を支持するとともに、係合部に係合し、エレベータドアの開閉方向への係合部の変位を案内するガイド体を備えている。
【発明の効果】
【０００７】
この発明のエレベータドアの開閉案内装置では、エレベータドアに回動自在に連結された連結部と、戸袋部に位置する係合部とを有している変位部材がエレベータドアの開閉動作に伴って変位され、戸袋部の床面上には、エレベータドアの開閉方向へ係合部の変位を案内するガイド体が設けられているので、エレベータドアの下端部にかご敷居の昇降路側の前面をオーバーハングして取付腕を支持する必要がなくなり、かご敷居と乗場敷居との隙間を小さくすることができ、かご敷居と乗場敷居との隙間から昇降路内に異物が侵入するのを低減することができるとともに、組み付け及びメンテナンス作業を床面上から容易に行うことができる。また、エレベータ出入口の下部に敷居を設ける必要がなくなるので、意匠性を向上させることができる。
【発明を実施するための最良の形態】
【０００８】
以下、この発明を実施するための最良の形態について、図面を参照して説明する。
実施の形態１．
図１はこの発明の実施の形態１によるエレベータドアの開閉案内装置を断面で示す断面図、図２は図１のエレベータドアの開閉案内装置を示す側面図、図３は図２の連結板を示す正面図、図４は図３の連結板を示す側面図、図５は図２の案内板を示す正面図、図６は図５の案内板を示す側面図である。
【０００９】
かごには、互いに反対方向へ移動してかご出入口を開閉するエレベータドアとしての一対のかごドア１が設けられている。かごドア１は、かごに設けられている駆動装置の駆動力によって移動される。かごの下部には、かご床２が設けられている。かごドア１の下面とかご床２の上面との間には、隙間が設けられている。
【００１０】
かごドア１の背部には、連結板取付板３の一端部が固定されている。連結板取付板３の他端部には、ベアリング４が取り付けられている。ベアリング４には、変位部材としての連結板５が回動自在に設けられている。連結板５は、かごドア１の背部に回動自在に連結された連結部６と、戸袋部に位置する係合部７とを有し、かごドア１の開閉動作に伴ってかごドア１の開閉方向へ変位される。ここで、連結板５は、図３，４に示すように、一枚の板材を折り曲げて断面コ字型に形成されている。
【００１１】
戸袋部には、ガイド体８が設けられている。ガイド体８は、かご床２の面の上方で係合部７を支持するとともに、係合部７に係合し、かごドア１の開閉方向への係合部７の変位を案内する。また、ガイド体８は、案内板９と、ローラ１０とを有している。案内板９は、かご床２の面上に固定されている。案内板９の上部には、図５，６に示すように、傾斜部９ａが形成されている。傾斜部９ａの近傍には、ローラ装着部９ｂが設けられている。ローラ１０は、ローラ装着部９ｂに回転自在に設けられている。
【００１２】
案内板９の正面及び背面は、連結板５の互いに対向する側部５ａ，５ｂに係合している。傾斜部９ａ及びローラ１０は、連結板５の上部５ｃの下面を支持している。ここで、ローラ１０は、上部５ｃとローラ装着部９ｂとで上下方向から囲まれている。
【００１３】
連結板５のかごドア１への連結位置は、かごドア１の高さの半分よりも低い位置となっている。また、案内板９による係合部７の支持位置は、連結板５のかごドア１への連結位置よりもさらに低い位置となっている。即ち、連結板５のかごドア１への連結位置と案内板９による係合部７の支持位置との高さが異なっている。
【００１４】
案内板９の正面及び背面には、低摩擦部材（図示せず）が貼り付けられている。低摩擦部材は、ポリテトラフルオロエチレンからなり、かごドア１の開閉時に係合部７の変位を円滑にする。
【００１５】
次に、動作について説明する。図７は図１のかごドア１が開いていく状態を示す正面図、図８は図７のかごドア１が開ききった状態を示す正面図、図９は図８のかごドア１が閉まっていく状態を示す正面図、図１０は図９のかごドア１が閉まりきった状態を示す正面図である。
【００１６】
かごドア１が戸開動作をする場合、まず、かごドア１の戸開動作により連結板５がかごドア１の戸開方向へ変位される。それに伴い、連結板５は、図７，８に示すように、傾きを変化させつつ、図の時計回りに回動される。ここで、連結板５は、かごドア１の戸開動作に応じて傾きを大きくすることにより、かご床２の幅方向の全長内で変位される。
【００１７】
また、かごドア１が戸閉動作をする場合、まず、かごドア１の戸閉動作により連結板５がかごドア１の戸閉方向へ変位される。それに伴い、連結板５は、図９，１０に示すように、傾きを変化させつつ、図の反時計回りに回動される。このように、連結板５は、かごドア１の開閉動作により傾斜角度を変化させることができる。
【００１８】
このようなエレベータドアの開閉案内装置では、かごドア１の背部に回動自在に連結された連結部６と、戸袋部に位置する係合部７とを有している連結板５がかごドア１の開閉動作に伴ってかごドア１の開閉方向へ変位され、戸袋部のかご床２の面上には、かごドア１の開閉方向へ係合部７の変位を案内するガイド体８が設けられているので、かごドア１の下端部にかご敷居の昇降路側の前面をオーバーハングして取付腕を支持する必要がなくなり、かごと乗場との間隔を小さくすることができ、かごと乗場との隙間から昇降路内に異物が侵入するのを低減することできるとともに、組み付け及びメンテナンス作業をかご床２の面上から容易に行うことができる。
【００１９】
また、かご出入口の下部にかご敷居を設ける必要がなくなるので、ゴミ詰まりが発生しなくなり、かごドア１の開閉動作のトラブルを低減しつつ、意匠性を向上させることができる。
【００２０】
さらに、ローラ１０は、ローラ装着部９ｂに回転自在に設けられ、上部５ｃの下面を支持しているので、かごドア１の開閉時に上部５ｃの下面に沿って相対的に転動することができる。
【００２１】
さらにまた、ローラ１０は、連結板５及びローラ装着部９ｂによって上下方向から囲まれているので、案内板９からの脱輪をより確実に防止することができる。
【００２２】
また、連結板５及び案内板９は、かごドア１の高さの半分より低い位置に配置されているので、悪戯などでかごドア１を押したり引いたりしても、かごドア１の下端部をより安定して案内することができる。
【００２３】
さらに、案内板９の正面及び背面には、低摩擦部材が貼り付けられているので、案内板９に対する係合部７の変位を円滑にすることができる。
【００２４】
さらにまた、連結板５は、かごドア１の戸開動作に応じて傾きを大きくすることにより、かご床２の幅方向の全長内で変位されるので、現行の昇降路サイズを変更することなく、かごドア１にエレベータドアの開閉案内装置を適用することができる。
【００２５】
実施の形態２．
図１１はこの発明の実施の形態２によるエレベータドアの開閉案内装置を断面で示す断面図、図１２は図１１のエレベータドアの開閉案内装置を示す側面図、図１３は図１２の連結板５を示す正面図、図１４は図１３の連結板５を示す側面図、図１５は図１２の案内板９を示す正面図、図１６は図１５の案内板９を示す側面図である。
【００２６】
連結板５及びガイド体８には、かごドア１の閉鎖時に連結板５の回動を規制する回動規制機構が設けられている。連結板５には、連結板抜け止め部材１１が取り付けられている。案内板９には、抜け止め溝１２が形成されている。他の構成は実施の形態１と同様である。
【００２７】
次に動作について説明する。図１７は図１１のかごドア１が開いていく状態を示す正面図、図１８は図１７のかごドア１が開ききった状態を示す正面図、図１９は図１８のかごドア１が閉まっていく状態を示す正面図、図２０は図１９のかごドア１が閉まりきった状態を示す正面図である。
【００２８】
かごドア１が戸開動作をする場合、まず、かごドア１の戸開動作により連結板５がかごドア１の戸開方向へ変位される。それに伴い、連結板５は、図１７，１８に示すように、傾きを変化させつつ、図の時計回りに回動し、抜け止め溝１２から連結板抜け止め部材１１が外される。
【００２９】
また、かごドア１が戸閉動作をする場合、まず、かごドア１の戸閉動作により連結板５がかごドア１の戸閉方向へ変位される。それに伴い、連結板５は、図１９，２０に示すように、傾きを変化させつつ、図の反時計回りに回動し、抜け止め溝１２に連結板抜け止め部材１１が通される。
【００３０】
このようなエレベータドアの開閉案内装置では、連結板５に連結板抜け止め部材１１が設けられており、案内板９に抜け止め溝１２が形成されているので、かごドア１の閉鎖時に連結板抜け止め部材１１が抜け止め溝１２に通されることにより、連結板５の回動を規制することができる。
【００３１】
なお、上記の例では、案内板９の正面及び背面に低摩擦部材を貼り付けたが、連結板５の側部５ａ，５ｂの互いに対向する面に低摩擦部材を貼り付けてもよい。また、低摩擦部材を案内板９及び連結板５の両方に貼り付けてもよい。
【００３２】
また、上記の例では、案内板９にローラ１０が設けられているが、必ずしもローラ１０を案内板９に設けなくてもよい。
【００３３】
さらに、上記の例では、連結板５を断面コ字型に形成し、連結板５の係合部７にガイド体８が挿入されている構成だが、ガイド体８に溝を設け、その溝に連結板５の係合部７を挿入する構成を用いてもよい。
【００３４】
さらにまた、上記の例では、連結板５に連結板抜け止め部材１１を設け、案内板９に抜け止め溝１２を形成したが、連結板５に抜け止め溝１２を形成し、案内板９に連結板抜け止め部材１１を設けてもよい。
【００３５】
また、上記の例では、エレベータドアの開閉案内装置をかごドア１に対して適用したが、本発明のエレベータドアの開閉案内装置は、乗場ドアにも適用することができる。
【図面の簡単な説明】
【００３６】
【図１】この発明の実施の形態１によるエレベータドアの開閉案内装置を断面で示す断面図である。
【図２】図１のエレベータドアの開閉案内装置を示す側面図である。
【図３】図２の連結板を示す正面図である。
【図４】図３の連結板を示す側面図である。
【図５】図２の案内板を示す正面図である。
【図６】図５の案内板を示す側面図である。
【図７】図１のかごドアが開いていく状態を示す正面図である。
【図８】図７のかごドアが開ききった状態を示す正面図である。
【図９】図８のかごドアが閉まっていく状態を示す正面図である。
【図１０】図９のかごドアが閉まりきった状態を示す正面図である。
【図１１】この発明の実施の形態２によるエレベータドアの開閉案内装置を断面で示す断面図である。
【図１２】図１１のエレベータドアの開閉案内装置を示す側面図である。
【図１３】図１２の連結板を示す正面図である。
【図１４】図１３の連結板を示す側面図である。
【図１５】図１２の案内板を示す正面図である。
【図１６】図１５の案内板を示す側面図である。
【図１７】図１１のかごドアが開いていく状態を示す正面図である。
【図１８】図１７のかごドアが開ききった状態を示す正面図である。
【図１９】図１８のかごドアが閉まっていく状態を示す正面図である。
【図２０】図１９のかごドアが閉まりきった状態を示す正面図である。
【符号の説明】
【００３７】
１  かごドア、５  連結板（変位部材）、６  連結部、７  係合部、８  ガイド体、１０  ローラ。
【図１】
2010111475.tif 000003
【図２】
2010111475.tif 000004
【図３】
2010111475.tif 000005
【図４】
2010111475.tif 000006
【図５】
2010111475.tif 000007
【図６】
2010111475.tif 000008
【図７】
2010111475.tif 000009
【図８】
2010111475.tif 000010
【図９】
2010111475.tif 000011
【図１０】
2010111475.tif 000012
【図１１】
2010111475.tif 000013
【図１２】
2010111475.tif 000014
【図１３】
2010111475.tif 000015
【図１４】
2010111475.tif 000016
【図１５】
2010111475.tif 000017
【図１６】
2010111475.tif 000018
【図１７】
2010111475.tif 000019
【図１８】
2010111475.tif 000020
【図１９】
2010111475.tif 000021
【図２０】
2010111475.tif 000022